(57)【要約】【課題】本発明が解決しようとする課題は、装置外観に形成される金属製の装飾パネルを備える電子機器の静電破壊対策の為のリード線やネジ等の部品点数を減らし、さらにはそれらを取り付ける工程を簡略化することが可能な電子機器を提供することにある。【解決手段】この課題を解決する為に、装置外観に形成される金属製の装飾パネルの上下両端部の少なくとも一方の端部を、メイン基板あるいは導電性シャーシ設けられた孔部に貫通させ、そこで電気的に接地するようにする。【選択図】  図２
2004363043.tif 000002
【特許請求の範囲】
【請求項１】
機器本体の外面に形成される金属製の装飾パネルと、
前記装飾パネルの裏面を支持するフロントパネルと、
前記フロントパネルの背面に配置された主動作を行うメイン基板とを、
備える電子機器であって、
前記装飾パネルの上下両端部の少なくとも一方の端部を、前記フロントパネルに貫通させ、さらにその端部を前記メイン基板に開口させた孔部に係合して、
この部分で電気的に接地することを特徴とする電子機器。
【請求項２】
機器本体の外面に形成される金属製の装飾パネルと、
前記装飾パネルの裏面を支持するフロントパネルと、
前記フロントパネルを支えるシャーシとを、
備える電子機器であって、
前記装飾パネルの上下両端部の少なくとも一方の端部を、前記フロントパネルに貫通させ、さらにその端部を前記シャーシに開口させた孔部に係合して、この部分で電気的に接地することを特徴とする電子機器。
【請求項３】
請求項１または請求項２記載の電子機器において、
前記装飾パネルの上下両端部の少なくとも一方の端部を折り曲げ可能な係合構造にし、前記孔部に貫通してから該係合個所を折り曲げることで電気的に接地することを特徴とする電子機器。
【請求項４】
請求項１または請求項２記載の電子機器において、
前記装飾パネルの上下両端部の少なくとも一方の端部を弾性的に係合可能な構造にし、前記孔部に貫通して電気的に接地することを特徴とする電子機器。
【発明の詳細な説明】
【０００１】
【発明の属する技術分野】
この発明は、金属製の装飾パネルを有する電子機器全般、特にＣＤ、ＭＤ、ＤＶＤのプレーヤーあるいはレコーダー等のＡＶ機器に関する。
【０００２】
【従来の技術】
金属製の装飾パネルを有する従来のＡＶ機器においては、操作の為に人の手が金属製の装飾パネルに頻繁に触れるため、静電気が飛び易く、操作者には不快感を与える。
【０００３】
その一方、ＡＶ機器の装飾パネルや制御装置の構成部品の電気的性能を破壊し易いという問題がある。
【０００４】
この現象は静電気放電が引き起こすトラブルの一種であり、「静電破壊」と呼ばれ、特に乾燥期たる冬期に起こり易い。
【０００５】
そこで従来は、図１に示すような、リード線を用いて放電させる構成を用いていた（特許文献１参照）。
【０００６】
図１の構成では、金属製の装飾パネル（１）等の静電破壊対策として、装飾パネル内側にリード線（２）を用い半田（３）等で接地し、金属製シャーシ（４）にビス（５）止め等にて固定し放電させていた。
【０００７】
また、リード線ではなく、金属製の装飾パネル（１）の裏側から略帯状のシールド片を延ばし、金属製のベースシャーシにネジ止めすることで放電することも行われていた（特許文献２参照）。
【０００８】
【特許文献１】
特開昭６３−２１８８
【特許文献２】
特開平１０−３２３９４
【０００９】
【発明が解決しようとする課題】
ところが、図１に示す従来のリード線、あるいは特許文献２で開示されているシールド片を用いて放電させる方法を用いると、
・装飾パネルへリード線あるいはシールド片を取り付ける為の作業時間、
・シャーシへリード線を取り付ける、あるいはネジ止めする作業時間、
等の作業時間を有し効率が悪く、さらにリード線やネジ等の部品コストも掛かっていた。
【００１０】
この発明の目的は、リード線材料やネジ等を用いることなく電気的に接地させて放電する事ができ、リード線材料あるいはネジ等の廃止に伴う部品のコストダウン及びリード線材料の取付け作業あるいはネジ止め作業廃止による作業時間を短縮化した電子機器を提供することにある。
【００１１】
【課題を解決するための手段】
この発明による電子機器は、機器本体の外面に形成される金属製の装飾パネルと、前記装飾パネルの裏面を支持するフロントパネルと、前記フロントパネルの背面に配置された主動作を行うメイン基板とを、備える電子機器であって、前記装飾パネルの上下両端部の少なくとも一方の端部を、前記フロントパネルに貫通させ、さらにその端部を前記メイン基板に開口させた孔部に係合して、この部分で電気的に接地することを特徴としている。
【００１２】
また、この発明による電子機器は、機器本体の外面に形成される金属製の装飾パネルと、前記装飾パネルの裏面を支持するフロントパネルと、前記フロントパネルを支えるシャーシとを、備える電子機器であって、前記装飾パネルの上下両端部の少なくとも一方の端部を、前記フロントパネルに貫通させ、さらにその端部を前記シャーシに開口させた孔部に係合して、この部分で電気的に接地することを特徴としている。
【００１３】
以上の構成により、この発明による電子機器の静電破壊対策として、リード線材料やネジ等を用いることなく放電することが可能になる。
【００１４】
また、この発明による電子機器は、前記装飾パネルの上下両端部の少なくとも一方の端部を折り曲げ可能な係合構造にし、前記孔部に貫通してから該係合個所を折り曲げることで電気的に接地することを特徴としている。
【００１５】
また、この発明による電子機器は、前記装飾パネルの上下両端部の少なくとも一方の端部を弾性的に係合可能な構造にし、前記孔部に貫通して電気的に接地することを特徴としている。
【００１６】
以上の構成により、新たな部品等を必要とすることなく、電子機器の静電破壊対策の為の電気的な接合個所を抜けにくい構造にすることが可能になる。
【００１７】
【発明の実施の形態】
本発明の静電破壊対策機構について、図２を用いて具体的に説明する。
【００１８】
図２は本発明の実施例を側面から見た断面図である。
【００１９】
樹脂成型によって形成されたフロントパネル（７）に薄い金属製の装飾パネル（１）が貼り付けられることで装飾パネル（１）、フロントパネル（７）を、ベースシャーシ（４）が支えている。
【００２０】
この構造で、薄い金属製の装飾パネル（１）をフロントパネル（７）が保持し、型崩れ等を防止する。また、全構造を金属製にするのではなく、装飾部分のみを金属製のパネルにし、それ以外の個所を樹脂成型パネルで支える構造にすることで、軽量化を実現している。
【００２１】
フロントパネル（７）の背面には、メイン基板（９）が設置される。
【００２２】
前記フロントパネル（７）には孔部（８）、フロントパネル（７）の背面に設置されたメイン基板（９）には孔部（１０）が設けられている。
【００２３】
装飾パネル（１）の下端部を折り曲げ可能な係合構造（６）とし、前記フロントパネル（７）の孔部（８）に貫通させ、さらにフロントパネル背面に設置されたメイン基板（９）の孔部（１０）に挿入し、係合片の先端（突起部分）を折り曲げる事により、メイン基板半田面（１１）と電気的に接地し放電を行う。このとき、半田付けのような作業は必要ない。
【００２４】
図２においては、フロントパネル（７）と、その背面に設置されたメイン基板（９）が平行に描かれているが、必ずしも平行である必要はない。
【００２５】
尚、上記説明においては、放電の為にメイン基板半田面（１１）と電気的に接地する装飾パネル（１）の下端部を、折り曲げ可能な係合構造（６）としていたが、メイン基板（９）の孔部（１０）に挿入して抜けにくい係合構造であれば、必ずしもこの構造にする必要はない。
【００２６】
例えば同係合構造を、折り曲げ可能な構造ではなく最初からＬ字型に固定した係合構造にしてもよいし、図３に示すように、片方向に入りやすく、逆に抜けにくくするエラ状の係合鍔（Ａ）や傘状の係合鍔（Ｂ）が付いた構造、あるいはスナップピン型の係合構造にして、弾性的に係合させることも可能である。
【００２７】
こういった構造にすることにより、上記説明における折り曲げ動作を省いても、電気的に接地される電子機器を提供することが可能になる。
【００２８】
また図２においては、フロントパネル背面に設置されたメイン基板（９）に孔部（１０）を設けたが、図４に示すように、この孔部（１０）を金属製のベースシャーシ（４）に設け、装飾パネルの上下両端部の少なくとも一方の端部をその孔部（１０）に貫通させて電気的に接地する構造にしてもよい。
【００２９】
また、上記説明においては、フロントパネル（７）を形成する材質を樹脂成形としたが、材質は樹脂成形に限定されず、木製やガラス製のフロントパネルを形成することも可能である。
【００３０】
同様に、ベースシャーシ（４）の材質も金属に限定されず、導電性プラスチックを用いることも可能である。
【００３１】
【発明の効果】
本発明では、電子機器の装飾パネルの上下両端部の少なくとも一方の端部に設けられた係合片を、直接基板孔部あるいはシャーシ孔部に挿入、係合することで電気的に接地するので、リード線材料やネジ等を用いることなく放電することができ、リード線材料やネジ等の廃止に伴う部品のコストダウン及びリード線材料の取付け作業やネジ止め作業廃止による作業時間の短縮が可能になる。
【図面の簡単な説明】
【図１】従来技術の断面図。
【図２】本発明に関する実施例の断面図。
【図３】本発明の装飾パネルの端部の係合構造に関する他の実施例。
（Ａ）エラ状の鍔
（Ｂ）傘状の鍔
【図４】本発明の他の実施例。
【符号の説明】
１  金属製の装飾パネル
２  リード線
４  導電性ベースシャーシ
６  電気的に接地部
７  フロントパネル
８  孔部
９  メイン基板
【図１】
2004363043.tif 000003
【図２】
2004363043.tif 000004
【図３】
2004363043.tif 000005
【図４】
2004363043.tif 000006